(57)【要約】【課題】髪や頭皮を傷めることなく簡便に髪に装着することができる髪飾りを提供する。【解決手段】髪飾り１０は、第１の髪留め部２０と、ライン状飾り部３０と、第２の髪留め部４０とを備える。第１の髪留め部２０は、髪に着脱可能な面ファスナーと布などの基材からなる２層構造を有するライン状飾り部３０は、連結部材３４を取り付け部２２に繋げることにより第１の髪留め部２０に装着されている。ライン状飾り部３０は、飾り３２ａ、飾り３２ｂおよび連結部材３４をそれぞれ複数有する。開環可能なリング状の連結部材３４によって隣接する飾り３２同士が連結されている。第２の髪留め部４０は、所定の連結部材３４を介してライン状飾り部３０に着脱可能に設置されている。第２の髪留め部４０は、髪に着脱可能な面ファスナーと布などの基材からなる２層構造を有する。【選択図】図１
2012210248.tif 000002
【特許請求の範囲】
【請求項１】
髪に着脱可能な第１の髪留め部と、
前記第１の髪留め部に着脱可能に設置されたライン状飾り部と、
前記ライン状飾り部に着脱可能に設置され、髪に着脱可能な第２の髪留め部と、
を備えることを特徴とする髪飾り。
【請求項２】
前記第１の髪留め部に前記ライン状飾り部を取り付けるための取り付け部が第１の髪留め部の縁部の複数箇所に設けられている請求項１に記載の髪飾り。
【請求項３】
前記取り付け部が前記第１の髪留め部の各辺に少なくとも１箇所設けられている請求項２に記載の髪飾り。
【請求項４】
前記第１の髪留め部が髪に着脱可能な面ファスナーを有する請求項１乃至３のいずれか１項に記載の髪飾り。
【請求項５】
前記第２の髪留め部が髪に着脱可能な面ファスナーを有する請求項１乃至４のいずれか１項に記載の髪飾り。
【請求項６】
前記第１の髪留め部の髪側とは反対の側の面の色が前記第１の髪留め部が装着される髪の色と同様な色である請求項１乃至５のいずれか１項に記載の髪飾り。
【請求項７】
前記第２の髪留め部の髪側とは反対の側の面の色が前記第２の髪留め部が装着される髪の色と同様な色である請求項１乃至６のいずれか１項に記載の髪飾り。
【発明の詳細な説明】
【技術分野】
【０００１】
本発明は、髪に装着される髪飾りに関する。
【背景技術】
【０００２】
従来、髪に装着される髪飾りとして、ピン状の固定部を髪に差し込む形態や、髪の毛に係止しうるループ状の係止部を備えた形態が知られている。
【先行技術文献】
【特許文献】
【０００３】
【特許文献１】特開平０９−３１３２３８号公報
【特許文献２】登録実用新案第３０１３３９４号公報
【発明の概要】
【発明が解決しようとする課題】
【０００４】
従来の髪飾りは、髪や頭皮を傷めるおそれや、髪に装着する際に手間が掛かるという問題があった。
【０００５】
本発明はこうした課題に鑑みてなされたものであり、その目的は、髪や頭皮を傷めることなく簡便に髪に装着することができる髪飾りを提供することにある。
【課題を解決するための手段】
【０００６】
本発明のある態様は、髪飾りである。当該髪飾りは、髪に着脱可能な第１の髪留め部と、第１の髪留め部に着脱可能に設置されたライン状飾り部と、ライン状飾り部に着脱可能に設置され、髪に着脱可能な第２の髪留め部と、を備えることを特徴とする。
【０００７】
上記態様の髪飾りにおいて、第１の髪留め部にライン状飾り部を取り付けるための取り付け部が第１の髪留め部の縁部の複数箇所に設けられていてもよい。取り付け部が第１の髪留め部の各辺に少なくとも１箇所設けられていてもよい。第１の髪留め部が髪に着脱可能な面ファスナーを有してもよい。第２の髪留め部が髪に着脱可能な面ファスナーを有してもよい。第１の髪留め部の髪側とは反対の側の面の色が第１の髪留め部が装着される髪の色と同様な色であってもよい。第２の髪留め部の髪側とは反対の側の面の色が第２の髪留め部が装着される髪の色と同様な色であってもよい。
【０００８】
なお、上述した各要素を適宜組み合わせたものも、本件特許出願によって特許による保護を求める発明の範囲に含まれうる。
【発明の効果】
【０００９】
本発明によれば、髪や頭皮を傷めることなく簡便に髪飾りを髪に装着することができる。
【図面の簡単な説明】
【００１０】
【図１】実施の形態に係る髪飾りの概略を示す平面図である。
【図２】図２（Ａ）は、第１の髪留め部の平面図である。図２（Ｂ）は、第１の髪留め部の底面図である。図２（Ｃ）は、第１の髪留め部２０の側面図である。
【図３】図３（Ａ）は、第２の髪留め部の平面図である。図３（Ｂ）は、第２の髪留め部の底面図である。
【図４】図４（Ａ）〜（Ｂ）は、それぞれ、実施の形態に係る髪飾りを髪に装着した例を示す図である。
【発明を実施するための形態】
【００１１】
以下、本発明の実施の形態を図面を参照して説明する。なお、すべての図面において、同様な構成要素には同様の符号を付し、適宜説明を省略する。
【００１２】
図１は、実施の形態に係る髪飾りの概略を示す平面図である。図２（Ａ）は、第１の髪留め部の平面図である。図２（Ｂ）は、第１の髪留め部の底面図である。図２（Ｃ）は、第１の髪留め部２０の側面図である。図３（Ａ）は、第２の髪留め部の平面図である。図３（Ｂ）は、第２の髪留め部の底面図である。
【００１３】
髪飾り１０は、第１の髪留め部２０と、ライン状飾り部３０と、第２の髪留め部４０とを備える。
【００１４】
第１の髪留め部２０は、面ファスナー２４と布などの基材部２６からなる２層構造を有する（図２（Ａ）乃至図２（Ｃ）参照）。面ファスナーは髪に絡むことにより、髪に着脱可能であり、面ファスナーの側の第１の髪留め部２０を髪に押し当てることにより第１の髪留め部２０を髪に装着することができる。また、髪に装着した第１の髪留め部２０を引っ張ることにより、第１の髪留め部２０を髪から取り外すことができる。また、第１の髪留め部２０には、後述するライン状飾り部３０を装着するための取り付け部２２が複数箇所に設けられている。本実施の形態では、ライン状飾り部３０の長手方向の一対の辺近傍にそれぞれ２つの取り付け部２２が設けられている。また、ライン状飾り部３０の短手方向の一対の辺近傍にそれぞれ１つの取り付け部２２が設けられている。本実施の形態の取り付け部２２は、第１の髪留め部２０を貫通する貫通孔２５にベース部分が挿通され、基材部２６の側にリング状の構造を有する部材である。
【００１５】
ライン状飾り部３０は、第１の髪留め部２０に着脱可能に設置されている。具体的には、ライン状飾り部３０は、後述する連結部材３４を取り付け部２２に繋げることにより第１の髪留め部２０に装着されている。
【００１６】
ライン状飾り部３０は、飾り３２ａ、飾り３２ｂ（以下、飾り３２ａ、飾り３２ｂをまとめて飾り３２という場合がある）および連結部材３４をそれぞれ複数有する。飾り３２は、ガラス、樹脂、宝石、ひも、リボン、毛髪、人工毛などの素材から選ばれる。本実施の形態のライン状飾り部３０は、素材が異なる飾り３２ａ、飾り３２ｂを有するが、同一の素材で形成されてもよい。開環可能なリング状の連結部材３４を飾り３２に設けられた貫通孔（図示せず）に挿通することにより隣接する飾り３２同士が連結されている。また、所定位置にある連結部材３４は、第１の髪留め部２０の取り付け部２２に繋げることにより、第１の髪留め部２０の所定位置がライン状飾り部３０に固定されている。
【００１７】
なお、ライン状飾り部３０は、所望の位置で連結部材３４と飾り３２を切り離すことにより、長さを調節することが可能である。また、飾り３２の素材は適宜交換することができる。これにより、ライン状飾り部３０をユーザの好みに応じた形態に変えることができる。
【００１８】
第２の髪留め部４０は、ライン状飾り部３０に着脱可能に設置されている。具体的には、図３（Ａ）および図３（Ｂ）に示すように、第２の髪留め部４０は矩形状の部材であり、短手方向の長さは飾り３２の幅と同等以下であることが好ましい。第２の髪留め部４０の長手方向の両端部に、それぞれ貫通孔４２が設けられている。開環可能なリング状の連結部材４３を貫通孔４２に挿通するとともに、連結部材４３をライン状飾り部３０の連結部材３４に繋げることにより、ライン状飾り部３０に第２の髪留め部４０と装着されている。なお、連結部材４３を開環することにより、ライン状飾り部３０と第２の髪留め部４０とを分離することができる。
【００１９】
第２の髪留め部４０は、第１の髪留め部２０と同様に、面ファスナー４４と布などの基材部４６からなる２層構造を有する。面ファスナーは髪に絡むことにより、髪に着脱可能であり、面ファスナーの側の第２の髪留め部４０を髪に押し当てることにより第２の髪留め部４０を髪に装着することができる。また、髪に装着した第２の髪留め部４０を引っ張ることにより、第２の髪留め部４０を髪から取り外すことができる。
【００２０】
なお、第１の髪留め部２０を構成する基材部２６の色、第２の髪留め部４０の基材部４６の色は、髪飾り１０が装着される髪の色と同様な色であることが好ましい。たとえば、髪飾り１０が装着される髪の色が黒の場合には、第１の髪留め部２０の基材部２６の色および第２の髪留め部４０の基材部４６の色は黒色系が好ましい。髪飾り１０が装着される髪の色が茶色の場合には、第１の髪留め部２０の基材部２６の色および第２の髪留め部４０の基材部４６の色は髪の色に近い茶系が好ましい。
【００２１】
図４（Ａ）〜（Ｂ）は、それぞれ、実施の形態に係る髪飾りを髪に装着した例を示す図である。
【００２２】
図４（Ａ）では、第１の髪留め部２０が頂頭部または前頭部の髪に取り付けられ、第１の髪留め部２０から延在する２本のライン状飾り部３０が顔面側に垂らされている。この２本のライン状飾り部３０に取り付けられた第２の髪留め部４０が左右のこめかみ付近の髪に取り付けられることにより、第２の髪留め部４０から先のライン状飾り部３０が顔面を横切らないようになっている。残りの４本のライン状飾り部３０は、後頭部側に垂らされている。この４本のライン状飾り部３０にそれぞれ取り付けられた第２の髪留め部（図示せず）は、後頭部の所定位置の髪に取り付けられている。これにより、４本のライン状飾り部３０が所定の間隔でばらけた状態で後頭部側に垂らされている。なお、第２の髪留め部４０はライン状飾り部３０の所定位置を髪に固定する役割を果たしており、第２の髪留め部４０を髪に固定する位置はユーザの好みにより変えることができる。
【００２３】
図４（Ｂ）では、第１の髪留め部２０に固定されたライン状飾り部３０の１本は髪に固定された第２の髪留め部４０の先でループ３８を形成しており、このループ３８を用いて髪が束ねられている。これによれば、髪飾り１０は、髪を装飾するとともに、髪をまとめるという機能の両方を担う。
【００２４】
以上説明した髪飾り１０によれば、以下のような効果を得ることができる。
【００２５】
第１の髪留め部２０を用いて髪や頭皮を傷めることなく、髪飾り１０を髪に装着し、髪を装飾することができる。
【００２６】
第１の髪留め部２０にライン状飾り部３０を取り付ける取り付け部２２を選択することにより、第１の髪留め部２０からライン状飾り部３０を垂らす方向を所望の方向に設定することができる。
【００２７】
第２の髪留め部４０を用いてライン状飾り部３０の途中の部分を髪に固定することにより、ライン状飾り部３０の垂らし方を所望の状態に保つことができる。特に、ライン状飾り部３０を顔面側に垂らす場合には、第２の髪留め部４０をこめかみ部分などの髪に固定することにより、ライン状飾り部３０によって顔が遮られないようにすることができる。また、ライン状飾り部３０における第２の髪留め部４０の設置位置を変えることにより、ライン状飾り部３０を髪に固定する箇所をユーザの好みに応じて適宜変更することができる。
【００２８】
第１の髪留め部２０の髪側とは反対の側の面の色を第１の髪留め部２０が装着される髪の色と同様な色として、第１の髪留め部２０を目立たないようにすることで、ファッション性を損なうことなく、髪飾り１０を髪に固定することができる。また、第２の髪留め部４０の髪側とは反対の側の面の色を第２の髪留め部４０が装着される髪の色と同様な色とすることにより、ファッション性を損なうことなく、ライン状飾り部３０の所定位置を髪に固定することができる。
【００２９】
ライン状飾り部３０から第１の髪留め部２０と第２の髪留め部４０を取り外すことにより、ライン状飾り部３０をブレスレットやネックレスなどの髪飾り以外の装飾品として用いることができる。
【００３０】
本発明は、上述の各実施の形態に限定されるものではなく、当業者の知識に基づいて各種の設計変更等の変形を加えることも可能であり、そのような変形が加えられた実施の形態も本発明の範囲に含まれうるものである。
【００３１】
たとえば、第１の髪留め部２０は、髪にしっかりと装着でき、髪を傷めないものであればよく、たとえば、取り付け部としての貫通孔が設けられたコームクリップであってもよい。コームクリップの材質は、特に限定されず、コームクリップは鉄などの金属や樹脂によって形成される。
【００３２】
また、図１に示す実施の形態の髪飾り１０では、ライン状飾り部３０が３本であり、１本のライン状飾り部３０が２箇所の取り付け部２２により第１の髪留め部２０に取り付けられることで、第１の髪留め部２０から垂れ下がるラインの数が６本になっているが、ライン状飾り部３０は各取り付け部２２からそれぞれ独立して垂れ下がるラインとして取り付けられてもよい。また、ライン状飾り部３０の本数は、特に限定されず、ユーザの好みに応じて適宜変更することができる。
【００３３】
また、上述した実施の形態に係る髪飾り１０では、取り付け部２２として、第１の髪留め部２０を貫通する貫通孔２５に挿通するためのベース部分と、基材部２６の側に突出するリング状の構造とを有する部材が用いられているが、第１の髪留め部２０を貫通する貫通孔２５に連結部材３４を直接通すことにより、第１の髪留め部２０にライン状飾り部３０を取り付けてもよい。
【符号の説明】
【００３４】
１０  髪飾り、２０  第１の髪留め部、３０  ライン状飾り部、４０  第２の髪留め部
【図１】
2012210248.tif 000003
【図２】
2012210248.tif 000004
【図３】
2012210248.tif 000005
【図４】
2012210248.tif 000006